(57)【要約】      （修正有）【課題】テレビ設備を利用してテレビ視聴だけでなく、書物読書も可能となる、書物読書用懸架器具を提供する。【解決手段】左右同寸法の縦板と上下同寸法の横板で四角形を作り、これを本体とする。本体の上部をテレビモニター１１の上部枠に懸架するため、上部円筒材を左右に接着剤とねじで取り付ける。裏側反対下には、書物受け材として、下部円筒材を左右に接着剤と、ねじで取り付る。同じく裏側反対に、書物上部受け材のスライド可動部支え材としてに、エル型材を左右二本ずつを可動部材の幅を残して縦平行に接着剤で取り付ける。書物上部受け材をスライド可動部材に接着剤とねじで取り付ける。本器具の使用は書物読書用懸架器具の懸架用上部材をテレビモニター枠にかぶせ吊るす状態で使用する。【選択図】図３
0003172149.tif 000002
【実用新案登録請求の範囲】
【請求項１】
テレビ視聴と書物読書が出来ることを特徴とする書物読書懸架器具。
【請求項２】
保持部がスライドして、書物のサイズに合わせて書物受け部が、可変出来ることを特徴とする請求項１記載の書物読書懸架器具。
【考案の詳細な説明】
【技術分野】
【０００１】
ベッドで読書をしようとするときに、テレビ視聴だけでなく読書も可能とする書物読書用懸架器具で、作製材料は樹脂のアクリル、ポリエチレン、塩化ビニール、木材、硬質紙、その他の板材と左記材の円筒材を用いテレビ枠利用の書物読書用懸架器具を作成する。本体には、書物サイズに合わせて書物上部の受け部がスライド式の可動部を取り付ける。
【背景技術】
【０００２】
従来はベッドで読書する器具は、種々あつたが、考案の書物読書用懸架器具は最近ベッドで使用のテレビ視聴設備の設置が有り、テレビだけでは飽き足らず、読書が出来ないという問題点があつた。書物を片手、両手で保持するのは、長時間は本の重さで困難が生じた。
【考案の開示】
【考案が解決しようとする課題】
【０００３】
テレビ視聴と書物読書とを兼用する為の読書用懸架器具を提供する。
【０００４】
テレビ視聴だけでなく、書物読書も可能にしようとする「書物読書用懸架器具」を考案することを課題とする。
【課題を解決するための手段】
【０００５】
テレビ画面と、書物保持部の大きさを加味した縦横の長方形の組み合わせ構造である。強度を保つ為、横向きに横板を取り付ける
この横板は書物の背表紙部分の支えとしても利用する。
【０００６】
組み立ては、ねじ止め、接着剤、その他を使用する。
【０００７】
長方形の上部にテレビ枠に吊るすための懸架部を取り付ける。
【０００８】
長方形の下部に書物の下部を受ける、受け材をつける
長方形の縦材の両方中間部より下方に書物上部を受け支える為の受け部を取り付ける。
【０００９】
書物上部受け部材は、書物サイズの変化に対応すべく上下にスライド機構とする。
【００１０】
スライド機構は、木材のみの組み合わせ、樹脂板とマグネット、ブリキとの組み合わせ等で作製する。    
【００１１】
2
スライド機構は外れないよう、左右にガイド部材を設置する。
材料は、樹脂材でアクリル、ポリエチレン、塩化ビニール等と、木材、硬質紙、その他材料による。
【００１２】
組み立てはねじ、M2mm〜M10mm,接着剤は、ボンド、セメダイン、等を使用する。
【００１３】
材料サイズは、縦材の長さ200〜500ｍｍ、幅10〜50ｍｍ、厚さ2〜5ｍｍ。
【００１４】
上端と下端の横材の長さ300〜500ｍｍ、幅10〜50ｍｍ、厚さ2〜5ｍｍ。
【００１５】
横補強材、長さ300〜500ｍｍ、幅10〜50ｍｍ。厚さ2〜5ｍｍ。
【００１６】
スライド支え部エル型材長さ150〜300ｍｍ縦10〜20ｍｍ、横10〜20ｍｍ、    
可動部板、長さ80〜150ｍｍ、幅10〜40ｍｍ、厚さ2〜15ｍｍ。
【００１７】
書物上部受け材取り付けスライド材、長さ30〜150ｍｍ、幅10〜20ｍｍ、厚さ2〜15ｍｍ。
【００１８】
可動部のはずれ防止板材長さ200〜300ｍｍ、幅3〜8ｍｍ、厚さ2〜5ｍｍ。
【００１９】
本体のテレビ枠に懸架する為の上部材、円筒の径20〜80のパイの1/2~1/4除くかまぼこ型、長さ30〜150ｍｍ、厚さ2〜8ｍｍ。
【００２０】
書物下部の受け材、円筒の径20~80パイの1/2〜1/4除くかまぼこ型、長さ30~150ｍｍ、厚さ2〜8ｍｍ。
【００２１】
書物上部スライド受け材、円筒の径が20〜80パイの1/2〜１/4除くかまぼこ型  長さ30〜150ｍｍ
【考案の効果】
【００２２】
テレビモニターは現在使用の物で、横300ｍｍ縦200ｍｍ、厚さ30ｍｍで、テレビ画面は横200ｍｍ、縦140ｍｍ、テレビモニターの材質は塩ビ製で、上部に書物読書用懸架器具を懸架出来るだけの強度は有する。テレビ枠上部に架けるだけでテレビ視聴と書物読書が容易になった。
【００２３】
書物は、テレビ画面120ｍｍ下の書物上部受け部と書物下部受け部の間に設置して、上部受け部で書物サイズに合わせ書物の保持調整し、頁のめくりは手で行う。
【考案を実施するための最良の形態】
【００２４】
左右同寸法の縦板と上下同寸法の横板で四角形を作り、これを本体とする。
【００２５】
本体の上部をテレビモニター上部枠に懸架するため、上部円筒材を左右に接着剤とねじで取り付ける。
【００２６】
裏側反対下には、書物受け材として、下部円筒材を左右に接着剤と、ねじで取り付る。
同じく裏側反対に、書物上部受け材のスライド可動部支え材としてに、エル型材を左右二本ずつを可動部材の幅を残して縦平行に接着剤で取り付ける。
【００２７】
書物上部受け材をスライド可動部材に接着剤とねじで取り付ける。
本器具の使用は書物読書用懸架器具の懸架用上部材をテレビモニター枠にかぶせ吊るす状態で使用する。
【図面の簡単な説明】
【００２８】
【図１】「器具全体を示した平面図」
【図２】「器具本体の断面図」
【図３】「書物読書用懸架器具」の実際の使用例
【符号の説明】
【００２９】
1  器具本体を示した平面図である
2  本体組み立て縦部
3  本体組み立て横部
4  本体組み立て補強部  
5  テレビ枠に懸架する為の上部材
6  書物下部受け材
7  書物上部受け材
8  書物上部受け材のスライド可動部
9  スライド支え側部
10  懸架上部材、下部受け材、上部受け材の取り付けビスねじ
11  テレビモニター
【図１】
0003172149.tif 000003
【図２】
0003172149.tif 000004
【図３】
0003172149.tif 000005
【手続補正書】
【提出日】平成23年10月4日(2011.10.4)
【手続補正１】
【補正対象書類名】実用新案登録請求の範囲
【補正対象項目名】全文
【補正方法】変更
【補正の内容】
【実用新案登録請求の範囲】
【請求項１】
ベッドで横たわった状態でテレビ視聴と書物読書が出来る長方形状の枠である書物読書懸架器具であって、片面側上部にベッドに備え付けのテレビの本体に懸架する為の20〜80ｍｍ径の半円筒状の上部材を有し、反対面側下部に書物を保持する20〜80ｍｍ径の半円筒形の書物下部受け材、上部に20〜80ｍｍ径の半円筒形の書物上部受け材を有することを特徴とする書物読書懸架器具。
【請求項２】
書物読書懸架器具は左右にスライド機構であるガイド部材を有し、書物上部受け材がガイド部材中で上下することにより各種サイズの書物を固定できることを特徴とする請求項1記載の書物読書懸架器具。